(57)【要約】    【課題】筐体の形状、電気特性の相違によりハウリング周波数が異なる複数のドアホン玄関子機の種類毎に適応させたトラップフィルタを用いて、インターホン親機との通話成立時におけるハウリングの発生を抑える。    【解決手段】電源投入後の初期設定時において、カメラ無ドアホン玄関子機、カメラ有ドアホン玄関子機、露出型ドアホン玄関子機、埋め込み型ドアホン玄関子機等の筐体の形状、電気特性の相違によりハウリング周波数が異なる複数のドアホン玄関子機１ａ、１ｂ、１ｃの種類を、インターホン親機２のインターフェース回路２９を介してＣＰＵ２０にて判別させる。また、インターホン親機のＣＰＵは、複数のドアホン玄関子機との間のそれぞれの通話成立時において形成させる通話路を、呼出元であるドアホン玄関子機のハウリング周波数に対応させたトラップフィルタ２５ａ、２５ｂ、２５ｃが介在されるように切替スイッチ２６、２７を制御する。  【選択図】図１
2006238078.tif 000002
【特許請求の範囲】
【請求項１】
玄関に設置され、カメラ無ドアホン玄関子機、カメラ有ドアホン玄関子機、露出型ドアホン玄関子機、埋め込み型ドアホン玄関子機等の筐体の形状、電気特性の相違によりハウリング周波数が異なる複数のドアホン玄関子機（１ａ、１ｂ、１ｃ）と、住戸内に設置され、通話路（Ｌ1a、Ｌ1b、Ｌ1c）を介して前記ドアホン玄関子機からの呼び出しに応答し、通話を成立させるための前記ハウリング周波数に影響を与えるスピーカ（２２）およびマイク（２３）を備えたインターホン親機（２）とを有し、
前記インターホン親機は、前記ドアホン玄関子機のハウリング周波数に適応して前記ドアホン玄関子機との通話成立時におけるハウリングの発生を抑えるためのトラップフィルタ（２５ａ、２５ｂ、２５ｃ）と、前記ドアホン玄関子機の種類に応じて前記ドアホン玄関子機のハウリング周波数に適応する前記トラップフィルタを前記通話路に介在させるための切替スイッチ（２６、２７）とを備えたことを特徴とするインターホン装置。
【請求項２】
電源投入後の初期設定時に、インターフェース回路（２９）を介して前記ドアホン玄関子機の種類を判別するためのＣＰＵ（２０）を備えたことを特徴とする請求項１記載のインターホン装置。
【発明の詳細な説明】
【技術分野】
【０００１】
本発明はインターホン装置に係り、特に、筐体の形状、電気特性の相違によりハウリング周波数が異なる複数のドアホン玄関子機とインターホン親機との通話成立時において、ハウリングの発生を抑えることができるインターホン装置に関する。
【背景技術】
【０００２】
従来から、この種のインターホン装置として、ラインを介して接続された端末間、例えば、玄関（住戸玄関）に設置されるドアホン玄関子機および住戸内に設置されるインターホン親機の間において、ハウリング（の発生）を防止して双方向のハンズフリー通話を可能にした拡声インターホン装置が開示されている（例えば、特許文献１を参照。）。
【０００３】
従来例の拡声インターホン装置によれば、下り方向の音声信号である受信アナログ信号（受信信号）および上り方向の音声信号である送信アナログ信号（送信信号）をデジタル信号として送受信させることにより、当該信号に混入されるエコー成分（音響帰還成分）を抑圧（除去）できることから、ハウリング（の発生）が防止された双方向のハンズフリー通話が可能となる。
【０００４】
【特許文献１】特開平１１−２７５２４３号公報（段落番号０００１、００１１、００１４〜００２４、図１）
【発明の開示】
【発明が解決しようとする課題】
【０００５】
しかしながら、従来例の拡声インターホン装置によれば、玄関に設置されるドアホン玄関子機として、カメラ無ドアホン玄関子機、カメラ有ドアホン玄関子機、露出型ドアホン玄関子機、埋め込み型ドアホン玄関子機のように、筐体の形状、電気特性によりハウリング周波数が異なる複数のドアホン玄関子機を個別のラインを介して単一台のインターホン親機に接続させた場合、このインターホン親機では、複数のドアホン玄関子機との間でそれぞれ通話を成立させるにあたり、ハウリングの発生を抑えることは技術的に困難であった。
【０００６】
本発明は、前述の難点を解消するためになされたもので、筐体の形状、電気特性の相違によりハウリング周波数が異なる複数のドアホン玄関子機の種類毎に適応させたトラップフィルタを用いて、インターホン親機との通話成立時におけるハウリングの発生を抑えたインターホン装置を提供することを目的としている。
【課題を解決するための手段】
【０００７】
前述の目的を達成するため、本発明の第１の態様であるインターホン装置は、玄関に設置され、カメラ無ドアホン玄関子機、カメラ有ドアホン玄関子機、露出型ドアホン玄関子機、埋め込み型ドアホン玄関子機等の筐体の形状、電気特性の相違によりハウリング周波数が異なる複数のドアホン玄関子機と、住戸内に設置され、通話路を介してドアホン玄関子機からの呼び出しに応答し、通話を成立させるためのハウリング周波数に影響を与えるスピーカおよびマイクを備えたインターホン親機とを有している。インターホン親機は、ドアホン玄関子機のハウリング周波数に適応してドアホン玄関子機との通話成立時におけるハウリングの発生を抑えるためのトラップフィルタと、ドアホン玄関子機の種類に応じてドアホン玄関子機のハウリング周波数に適応するトラップフィルタを通話路に介在させるための切替スイッチとを備えたものである。
【０００８】
また、本発明の第２の態様は、本発明の第１の態様であるインターホン装置において、電源投入後の初期設定時に、インターフェース回路を介してドアホン玄関子機の種類を判別するためのＣＰＵを備えたものである。
【発明の効果】
【０００９】
本発明のインターホン装置によれば、電源投入後の初期設定時において、インターホン親機のＣＰＵは、カメラ無ドアホン玄関子機、カメラ有ドアホン玄関子機、露出型ドアホン玄関子機、埋め込み型ドアホン玄関子機等の筐体の形状、電気特性の相違によりハウリング周波数が異なる複数のドアホン玄関子機の種類を、インターフェース回路を介して容易に判別することができる。また、インターホン親機のＣＰＵは、複数のドアホン玄関子機との間のそれぞれの通話成立時において形成させる通話路を、呼出元であるドアホン玄関子機のハウリング周波数に対応させたトラップフィルタが介在されるように切替スイッチを制御することにより、通話成立時におけるハウリングの発生を抑えることができ、良好な通話音質が確保される。
【発明を実施するための最良の形態】
【００１０】
以下、本発明のインターホン装置を適用した最良の実施の形態例について、図面を参照して説明する。
【００１１】
図１は、本発明の実施例によるインターホン装置の具体的な構成を示すシステム説明図である。
【００１２】
図１のシステム説明図に示すインターホン装置は、玄関（住戸玄関）に設置されており、カメラ無ドアホン玄関子機、カメラ有ドアホン玄関子機、露出型ドアホン玄関子機、埋め込み型ドアホン玄関子機等の筐体の形状、電気特性によりそのハウリング周波数が異なる複数のドアホン玄関子機、ここでは、第１〜第３の各ドアホン玄関子機１ａ、１ｂ、１ｃと、住戸内に設置されており、第１〜第３の各伝送線路Ｌ1a、Ｌ1b、Ｌ1cを介して接続された第１〜第３の各ドアホン玄関子機１ａ、１ｂ、１ｃからのそれぞれの呼び出しが報知され、前述の第１〜第３の各伝送線路Ｌ1a、Ｌ1b、Ｌ1cを通話路として、呼出元である何れか１の当該ドアホン玄関子機との間で通話を成立させるためのインターホン親機２とを有している。
【００１３】
なお、本発明の実施例において、第１のドアホン玄関子機１ａは、玄関に居る来訪者による呼出機能（呼出操作機能）を構成する呼出ボタン１０、来訪者が呼出元である住戸内に在室中の居住者との間で通話を成立させるための通話機能を構成するマイク（以下、子機マイクという。）１１およびスピーカ（以下、子機スピーカという。）１２が備えられた露出型のカメラ無ドアホン玄関子機であり、固有のハウリング周波数（以下、第１のハウリング周波数という。）として、例えば、２．６ｋＨｚ〜２．７ｋＨｚの当該周波数を有している。
【００１４】
また、第２のドアホン玄関子機１ｂは、前述のような呼出機能（呼出操作機能）を構成する呼出ボタン１０、通話機能を構成する子機マイク１１および子機スピーカ１２が備えられた埋め込み型のカメラ無ドアホン玄関子機であり、固有のハウリング周波数（以下、第２のハウリング周波数という。）として、前述の第１のハウリング周波数とは異なる、例えば、１．０ｋＨｚ〜１．１ｋＨｚの当該周波数を有している。
【００１５】
さらに、第３のドアホン玄関子機１ｃは、前述のような呼出機能（呼出操作機能）を構成する呼出ボタン１０、通話機能を構成する子機マイク１１および子機スピーカ１２が備えられ、第２のドアホン玄関子機１ｂとは子機マイク１１および子機スピーカ１２の位置や筐体構造等が異なる埋め込み型のカメラ無ドアホン玄関子機であり、固有のハウリング周波数（以下、第３のハウリング周波数という。）として、前述の第１、第２の各ハウリング周波数とは異なる、例えば、５８０Ｈｚ〜６１０Ｈｚの当該周波数を有している。
【００１６】
同図に示すインターホン親機２には、当該インターホン親機の構成各部／回路をそれぞれ制御するためのＣＰＵ（Central Processing Unit、以下、親機ＣＰＵという。）２０と、商用電源（図示せず）について整流させた直流電源や予め蓄電されている直流電源を、当該インターホン親機の構成各部／回路および当該インターホン親機に第１〜第３の各伝送線路Ｌ1a、Ｌ1b、Ｌ1cを介して接続された第１〜第３の各ドアホン玄関子機１ａ、１ｂ、１ｃにそれぞれ供給するための電源回路２１と、第１〜第３の各ドアホン玄関子機１ａ、１ｂ、１ｃのうち、呼出機能（呼出操作機能）を構成する呼出ボタン１０が操作された呼出元である何れか１の当該ドアホン玄関子機からの呼び出しを報知するための呼出音（音声メッセージを含む。）、例えば、呼出元の当該ドアホン玄関子機毎で異なるパターンの呼出音（音声メッセージを含む。）を放音するとともに、呼出先の居住者が通話を成立させるにあたり、呼出元の来訪者の受話音声が放音されるスピーカ（以下、親機スピーカという。）２２と、親機スピーカ２２とともに居住者が通話を成立させるために使用し、送話音声を入力するためのマイク（以下、親機マイクという。）２３と、親機マイク２３を介して入力される送話音声であり電気信号に信号処理された音声信号を４線／２線変換するとともに、親機スピーカ２２から放音される受話音声である電気信号に信号処理された音声信号を２線／４線変換するための通話回路２４と、第１〜第３の各ドアホン玄関子機１ａ、１ｂ、１ｃのように筐体の形状、電気特性の相違に起因して異なる第１〜第３の各ハウリング周波数に対応して当該インターホン親機との通話成立時におけるハウリングの発生を抑えるためのバンドパスフィルタ等の複数のトラップフィルタ、ここでは、第１〜第３の各ドアホン玄関子機１ａ、１ｂ、１ｃにそれぞれ適応させた第１〜第３の各トラップフィルタ２５ａ、２５ｂ、２５ｃと、第１〜第３の各メイク接点Ｐ1a、Ｐ1b、Ｐ1cが第１〜第３の各トラップフィルタ２５ａ、２５ｂ、２５ｃにそれぞれ接続され、コモン接点Ｐ1dが通話回路２４に接続されており、第１〜第３の各トラップフィルタ２５ａ、２５ｂ、２５ｃから通話回路２４への通話路を切り替えて形成するための切替スイッチ（以下、第１の切替スイッチという。）２６と、第１〜第３の各メイク接点Ｐ2a、Ｐ2b、Ｐ2cが第１〜第３の各トラップフィルタ２５ａ、２５ｂ、２５ｃにそれぞれ接続され、コモン接点Ｐ2dが後述するインターフェース回路２９に接続されており、インターフェース回路２９から第１〜第３の各トラップフィルタ２５ａ、２５ｂ、２５ｃへの通話路を切り替えて形成するための切替スイッチ（以下、第２の切替スイッチという。）２７と、親機スピーカ２２からの呼出音（音声メッセージを含む。）の放音を確認した居住者が応答操作を行うとともに、当該インターホン装置の初期設定時における電源投入のための操作等が行われるキーボタン等の操作部２８と、第１〜第３の各伝送線路Ｌ1a、Ｌ1b、Ｌ1cおよび親機ＣＰＵ２０、電源回路２１、通話回路２４、第２の切替スイッチ２７のコモン接点Ｐ2dの各構成各部／回路の間の信号伝送ライン、電源供給ラインをそれぞれ形成するためのインターフェース回路（以下、親機���／Ｆという。）２９とが備えられている。
【００１７】
なお、本発明の実施例において、インターホン親機２の第１〜第３の各トラップフィルタ２５ａ、２５ｂ、２５ｃのうち、第１のトラップフィルタ２５ａは、第１のドアホン玄関子機１ａが有する第１のハウリング周波数に応じて、第１のドアホン玄関子機１ａから伝送されてくる音声信号の特定の周波数帯域、例えば、２．６ｋＨｚ〜２．７ｋＨｚの周波数帯域について第１の切替スイッチ２６の第１のメイク接点Ｐ1aへの出力を減衰または停止させる機能を有している。
【００１８】
また、インターホン親機２の第２のトラップフィルタ２５ｂは、第２のドアホン玄関子機１ｂが有する第２のハウリング周波数に応じて、第２のドアホン玄関子機１ｂから伝送されてくる音声信号の特定の周波数帯域、例えば、１．０ｋＨｚ〜１．１ｋＨｚの周波数帯域について第１の切替スイッチ２６の第２のメイク接点Ｐ1bへの出力を減衰または停止させる機能を有している。
【００１９】
さらに、インターホン親機２の第３のトラップフィルタ２５ｃは、第３のドアホン玄関子機１ｃが有する第３のハウリング周波数に応じて、第３のドアホン玄関子機１ｃから伝送されてくる音声信号の特定の周波数帯域、例えば、５８０Ｈｚ〜６１０Ｈｚの周波数帯域について第１の切替スイッチ２６の第３のメイク接点Ｐ1cへの出力を減衰または停止させる機能を有している。
【００２０】
このように構成された本発明の実施例によるインターホン装置において、以下、具体的な動作について説明する。
【００２１】
初期設定時において、施工業者等がインターホン親機２の操作部２８を用いて電源投入のための所定の起動操作を行うと、この操作を検出した親機ＣＰＵ２０は、電源回路２１を制御して商用電源（図示せず）について整流させた所定の電圧レベルの直流電源または当該電源回路に予め蓄電されている所定の電圧レベルの直流電源を、親機Ｉ／Ｆ２９に接続されている全ての伝送線路、ここでは、第１〜第３の各伝送線路Ｌ1a、Ｌ1b、Ｌ1cへとそれぞれ供給する。
【００２２】
ここで、第１〜第３の各ドアホン玄関子機１ａ、１ｂ、１ｃは、それぞれ露出型のカメラ無ドアホン玄関子機、埋め込み型のカメラ無ドアホン玄関子機、埋め込み型のカメラ無ドアホン玄関子機のように、その種類の相違に応じて、待受時に消費される電力量も異なり、例えば、第１のドアホン玄関子機１ａの消費電力量＞第２のドアホン玄関子機１ｂの消費電力量＞第３のドアホン玄関子機１ｃの消費電力量の関係を有しているため、これら待受電源の消費電力量の大きさに比例して、インターホン親機２の電源回路２１からの電源供給により第１〜第３の各伝送線路Ｌ1a、Ｌ1b、Ｌ1cにそれぞれ重畳された直流電源の電圧レベルの電圧降下が大きくなる。
【００２３】
また、インターホン親機２の親機ＣＰＵ２０は、第１〜第３の各伝送線路Ｌ1a、Ｌ1b、Ｌ1cにそれぞれ重畳された直流電源の電圧レベルの電圧降下を親機Ｉ／Ｆ２９を介して検出し、検出された電圧降下の大きさに応じて、第１の伝送線路Ｌ1aに接続されている第１のドアホン玄関子機１ａが露出型のカメラ無ドアホン玄関子機である旨、第２の伝送線路Ｌ1bに接続されている第２のドアホン玄関子機１ｂが埋め込み型のカメラ無ドアホン玄関子機である旨、第３の伝送線路Ｌ1cに接続されている第３のドアホン玄関子機１ｃが前述の第２のドアホン玄関子機１ｂとは子機マイク１１および子機スピーカ１２の位置や筐体構造等が異なる埋め込み型のカメラ無ドアホン玄関子機である旨、すなわち、第１〜第３の各ドアホン玄関子機１ａ、１ｂ、１ｃの種類をそれぞれ判別する。
【００２４】
さらに、インターホン親機２の親機ＣＰＵ２０は、第１〜第３の各トラップフィルタ２５ａ、２５ｂ、２５ｃのうち、露出型のカメラ無ドアホン玄関子機である第１のドアホン玄関子機１ａとの通話成立時においてハウリングの発生を抑える当該トラップフィルタとして第１のドアホン玄関子機１ａが有する第１のハウリング周波数に適応させた第１のトラップフィルタ２５ａを、埋め込み型のカメラ無ドアホン玄関子機である第２のドアホン玄関子機１ｂとの通話成立時においてハウリングの発生を抑える当該トラップフィルタとして第２のドアホン玄関子機１ｂが有する第２のハウリング周波数に適応させた第２のトラップフィルタ２５ｂを、第２のドアホン玄関子機１ｂとは子機マイク１１および子機スピーカ１２の位置や筐体構造等が異なる埋め込み型のカメラ無ドアホン玄関子機である第３のドアホン玄関子機１ｃとの通話成立時においてハウリングの発生を抑える当該トラップフィルタとして第３のドアホン玄関子機１ｃが有する第３のハウリング周波数に適応させた第３のトラップフィルタ２５ｃをそれぞれ選択するための通話路制御データを設定／記憶する。
【００２５】
前述のような通話路制御データが、電源投入後の初期設定時においてインターホン親機２の親機ＣＰＵ２０に設定／記憶された後、第１〜第３の各ドアホン玄関子機１ａ、１ｂ、１ｃのうち、例えば、第１のドアホン玄関子機１ａの呼出ボタン１０が玄関（住戸玄関）に居る来訪者により操作されると、インターホン親機２の電源回路２１からの電源供給により第１の伝送線路Ｌ1aに重畳されていた待受電源の電圧レベルが電圧降下する。
【００２６】
インターホン親機２の親機ＣＰＵ２０は、親機Ｉ／Ｆ２９を介して検出された前述の電圧降下をもとに、来訪者により呼出ボタン１０が操作された当該ドアホン玄関子機が第１のドアホン玄関子機１ａであることを判別し、その旨の呼出音（音声メッセージを含む。）を親機スピーカ２２から放音させるとともに、電源回路２１を制御し、親機Ｉ／Ｆ２９、第１の伝送線路Ｌ1aを介して第１のドアホン玄関子機１ａの通話機能を構成する子機マイク１１および子機スピーカ１２を動作させるための直流電源を供給させる。
【００２７】
また、インターホン親機２の親機スピーカ２２から放音された呼出音（音声メッセージを含む。）をもとに、第１のドアホン玄関子機１ａにて呼出操作を行った来訪者からの呼び出しを確認した居住者が操作部２８にて所定の応答操作を行うと、この操作を検出した親機ＣＰＵ２０は、当該親機ＣＰＵに設定／記憶されていた通話制御データのうち、呼出元である第１のドアホン玄関子機１ａに割り当てられた当該通話制御データをもとに第１、第２の各切替接点２６、２７を制御し、第１の各メイク接点Ｐ1a、Ｐ2aをそれぞれ閉成させることにより、呼出元の来訪者が使用する第１のドアホン玄関子機１ａの子機マイク１１から第１の伝送線路Ｌ1a、インターホン親機２の親機Ｉ／Ｆ２９、第２の切替スイッチ２７のコモン接点Ｐ2d、閉成された第１のメイク接点Ｐ2a、第１のトラップフィルタ２５ａ、第１の切替スイッチ２６の閉成された第１のメイク接点Ｐ1a、コモン接点Ｐ1d、通話回路２４を介して呼出先の居住者が使用する親機スピーカ２２への通話路と、呼出先の居住者が使用するインターホン親機２の親機マイク２３から通話回路２４、親機Ｉ／Ｆ２９、第１の伝送線路Ｌ1aを介して呼出元の来訪者が使用する第１のドアホン玄関子機１ａの子機スピーカ１２への通話路とがそれぞれ形成される。
【００２８】
ここで、前述の各通話路が形成された場合において、第１のドアホン玄関子機１ａの子機マイク１１を介して入力された来訪者の送話音声は、電気信号に信号処理された音声信号として、第１の伝送線路Ｌ1a、インターホン親機２の親機Ｉ／Ｆ２９、第２の切替スイッチ２７のコモン接点Ｐ2d、閉成された第１のメイク接点Ｐ2aを介して第１のトラップフィルタ２５ａへと伝送される。この第１のトラップフィルタ２５ａは、第１のドアホン玄関子機１ａから伝送されてきた音声信号の周波数帯域のうち、第１のドアホン玄関子機１ａが有する第１のハウリング周波数に適応した所定の周波数、例えば、２．６ｋＨｚ〜２．７ｋＨｚの周波数帯域について第１の切替スイッチ２６の閉成された第１のメイク接点Ｐ1aへの出力を減衰または停止し、コモン接点Ｐ1d、通話回路２４を介して親機スピーカ２２に伝送させることにより、親機スピーカ２２から放音される来訪者の受話音声は、第１のドアホン玄関子機１ａが有する第１のハウリング周波数、例えば、２．６ｋＨｚ〜２．７ｋＨｚが、例えば、６ｄＢ減衰された受話音声として放音されることから、親機スピーカ２２から親機マイク２３には音声帰還せず、ゆえに、ハウリングの発生を抑えることができ、良好な通話音質が確保される。
【００２９】
一方、前述の各通話路が形成された場合において、インターホン親機２の親機マイク２３を介して入力された居住者の送話音声は、電気信号に信号処理された音声信号として、通話回路２４、親機Ｉ／Ｆ２９、第１の伝送線路Ｌ1aを介して第１のドアホン玄関子機１ａへと伝送されることにより、良好な通話音質が確保された居住者の受話音声を子機スピーカ１２から放音させることができる。
【００３０】
前述までの動作によれば、来訪者により呼出ボタン１０が操作されるような呼出操作が行われた当該ドアホン玄関子機を第１のドアホン玄関子機１ａとし、第１のドアホン玄関子機１ａとインターホン親機２との間で通話を成立させるにあたり、ハウリングの発生を抑える動作について説明したが、呼出元としては第１のドアホン玄関子機１ａに限定されず、第２のドアホン玄関子機１ｂの呼出ボタン１０が操作されるような呼出操作が来訪者により行われた場合において、インターホン親機２では、第１〜第３の各トラップフィルタ２５ａ、２５ｂ、２５ｃのうち、第２のトラップフィルタ２５ｂが親機ＣＰＵ２０の制御により切り替えられた第１、第２の各切替スイッチ２６、２７によって第２のドアホン玄関子機１ｂおよび当該インターホン親機の間の通話路に介在される。この第２のトラップフィルタ２５ｂは、第２のドアホン玄関子機１ｂから伝送されてくる音声信号の周波数帯域のうち、第２のドアホン玄関子機１ｂが有する第２のハウリング周波数に適応した所定の周波数、例えば、１．０ｋＨｚ〜１．１ｋＨｚの周波数帯域について第１の切替スイッチ２６の閉成された第２のメイク接点Ｐ1bへの出力を減衰または停止し、コモン接点Ｐ1d、通話回路２４を介して親機スピーカ２２に伝送させることにより、親機スピーカ２２から放音される来訪者の受話音声は、第２のドアホン玄関子機１ｂが有する第２のハウリング周波数、例えば、１．０ｋＨｚ〜１．１ｋＨｚの周波数帯域が、例えば、７ｄＢ減衰された受話音声として放音されることから、親機スピーカ２２から親機マイク２３には音声帰還せず、ゆえに、ハウリングの発生を抑えることができ、良好な通話音質が確保される。
【００３１】
また、第３のドアホン玄関子機１ｃの呼出ボタン１０が操作されるような呼出操作が来訪者により行われた場合において、インターホン親機２では、第１〜第３の各トラップフィルタ２５ａ、２５ｂ、２５ｃのうち、第３のトラップフィルタ２５ｃが親機ＣＰＵ２０の制御により切り替えられた第１、第２の各切替スイッチ２６、２７によって第３のドアホン玄関子機１ｃおよび当該インターホン親機の間の通話路に介在される。この第３のトラップフィルタ２５ｃは、第３のドアホン玄関子機１ｃから伝送されてくる音声信号の周波数帯域のうち、第３のドアホン玄関子機１ｃが有する第３のハウリング周波数に適応した所定の周波数、例えば、５８０Ｈｚ〜６１０Ｈｚの周波数帯域について第１の切替スイッチ２６の閉成された第３のメイク接点Ｐ1cへの出力を減衰または停止し、コモン接点Ｐ1d、通話回路２４を介して親機スピーカ２２に伝送させることにより、親機スピーカ２２から放音される来訪者の受話音声は、第３のドアホン玄関子機１ｃが有する第３のハウリング周波数、例えば、５８０Ｈｚ〜６１０Ｈｚの周波数帯域が、例えば、１２ｄＢ減衰された受話音声として放音されることから、親機スピーカ２２から親機マイク２３には音声帰還せず、ゆえに、ハウリングの発生を抑えることができ、良好な通話音質が確保される。
【００３２】
なお、本発明の実施例によれば、筐体の形状、電気特性によりそのハウリング周波数が異なる複数のドアホン玄関子機として、露出型のカメラ無ドアホン玄関子機である第１のドアホン玄関子機１ａ、埋め込み型のカメラ無ドアホン玄関子機である第２のドアホン玄関子機１ｂ、埋め込み型のカメラ無ドアホン玄関子機であり前述の第２のドアホン玄関子機１ｂとは子機マイク１１および子機スピーカ１２の位置や筐体構造等が異なる第３のドアホン玄関子機１ｃを適用させたが、これら第１〜第３の各ドアホン玄関子機１ａ、１ｂ、１ｃに限定されず、呼出操作を行った来訪者や玄関（住戸玄関）の周囲近傍の映像を撮像するＣＣＤ（Charge Coupled Device）撮像素子、ＣＭＯＳ（Complementary Metal Oxide Semiconductor）撮像素子等のカメラを有する露出型または埋め込み型のカメラ有ドアホン玄関子機の適用も可能であり、このカメラ有ドアホン玄関子機を適用するにあたっては、当該カメラ有ドアホン玄関子機が有する所定のハウリング周波数に適応させた新たなトラップフィルタ、新たなトラップフィルタに接続される第１、第２の各切替スイッチ２６、２７のメイク接点、カメラにて撮像された映像を信号処理して表示させるＬＣＤ（Liquid Crystal Display）、有機ＥＬ（Electro Luminescence）ディスプレイ等のモニタがインターホン親機２に備えられる。
【図面の簡単な説明】
【００３３】
【図１】本発明の実施例によるインターホン装置の具体的な構成を示すシステム説明図。
【符号の説明】
【００３４】
１ａ、１ｂ、１ｃ……第１〜第３の各ドアホン玄関子機（ドアホン玄関子機）
２……インターホン親機
２０……親機ＣＰＵ（ＣＰＵ）
２２……親機スピーカ（スピーカ）
２３……親機マイク（マイク）
２５ａ、２５ｂ、２５ｃ……第１〜第３の各トラップフィルタ（トラップフィルタ）
２６……第１の切替スイッチ（切替スイッチ）
２７……第２の切替スイッチ（切替スイッチ）
２９……親機Ｉ／Ｆ（インターフェース回路）
【図１】
2006238078.tif 000003